【手続補正書】
【提出日】平成17年10月12日(2005.10.12)
【手続補正１】
【補正対象書類名】明細書
【補正対象項目名】特許請求の範囲
【補正方法】変更
【補正の内容】
【特許請求の範囲】
【請求項１】  適切な強度、任意選択で適切な色を有する光線を異なる観測方向に投射し、それによって三次元画像を生成する、三次元画像を表現するための方法であって、
角度独立または時定数角度依存放射特性を有する、周期的に制御可能な光源を備えた光放出面がスクリーンの背後に配置され、該スクリーンは、光の透過または反射の制御が可能な画像ピクセルを含み、
所定の数の異なる光源から放出された光線は、異なる方向から個々の画像ピクセルを照明し、各画像ピクセルが、各制御サイクルにおいて所定の数の光源の各々によって少なくとも１度照明され、さらに、
光源によって放出され、実質的に方向を変えることなく光源と画像ピクセルの間を伝搬する光線の方向によって、個々の画像ピクセルから放出される光線の方向が決定される、前記の方法であって、
ｄ．光源間の距離は、画像ピクセル間の距離よりも大きくなるように選択され、
ｅ．光源は、１つの光源によって照明される画像ピクセルの数が、１つの画像ピクセルを照らす所定の数の光源より多くなるように、画像ピクセルから十分な距離を隔てて配置されること、
を特徴とする方法。
【請求項２】  １つの光源によって照明される画像ピクセルの数と、画像ピクセルを照明する光源の数との比が、光源の中心間の距離と画像ピクセルの中心間の距離との比に等しいこと、を特徴とする請求項１に記載の方法。
【請求項３】  個々の画像ピクセルから放出される光線を、視界の均一な照明に必要な発散角で水平および垂直方向に拡散させ、前記視界から三次元画像を知覚することができること、を特徴とする請求項１または２に記載の方法。
【請求項４】  水平方向の発散角は、隣り合う２つの観察方向の間の角度と少なくとも同じ大きさであること、を特徴とする請求項３に記載の方法。
【請求項５】  画像ピクセルは、互いに隣接しかつ表面の照明が均一な光源によって照明され、光源のサイズは、それらの間の水平方向および垂直方向の距離によって定められること、を特徴とする請求項３に記載の方法。
【請求項６】  光源は点状光源で、個々の画像ピクセルから放出される光線の異なる垂直方向および水平方向の拡散（発散）は、適切なディフューザによって実現されること、を特徴とする請求項３に記載の方法。
【請求項７】  画像ピクセルおよび光源は、
ａ．１つ以下の光源によって画像ピクセルが一度に照明されると同時に、１つの光源によって各画像ピクセルが照明されるように、個別的にまたはグループで光源をオンおよびオフに切り替え、
ｂ．各々の周期またはサイクルにおいて、各画像ピクセルが、各観察方向で少なくとも一度照明されるように、定期的または周期的に光源をオンおよびオフに順次切り替え、その間、
ｃ．画像ピクセルを透過するかまたは画像ピクセルから反射された光の適切な強度および色の一方または双方の変調によって、異なる方向に投射された画像を得る、
ようにして制御されること、を特徴とする請求項１から６のいずれか一項に記載の方法。
【請求項８】  垂直方向視差を伴わない画像が表示され、隣接する垂直方向の光源ストリップによって、画像ピクセルから放出された異なる水平方向および垂直方向の光線の拡散（発散）が得られること、を特徴とする請求項３に記載の方法。
【請求項９】  照明光源からいくつかのグループが生成され、観察方向と同じ数の隣接光源が１つのグループを構成し、各グループ、好ましくは同様の位置に存在する光源から、一度にただ１つの光源がオンに切り替えられるように光源の切替えが行われる一方で、選択された観察方向に対応する画像ピクセルは、前記選択された観察方向に対応する適切な画像情報によって制御され、その後、現在オンである光源がオフに切り替えられ、実質的にそれと同時に、各グループにおいて、次の位置にある光源がオンに切り替えられ、それと同時に画像ピクセルの制御が、次の観察方向に対応して変化すること、を特徴とする請求項７から９のいずれか一項に記載の方法。
【請求項１０】  カラー画像を表現するために、光源の色が、３つの基本色に従って、オン状態の間に変化し、制御可能な画像ピクセルを含むスクリーンの画像ピクセルが、対応するカラー成分のカラー比率に従って制御されること、を特徴とする請求項７から９のいずれか一項に記載の方法。
【請求項１１】  カラー画像を表現するために、白色光源およびカラー・スクリーンが使用されること、を特徴とする請求項７から９のいずれか一項に記載の方法。
【請求項１２】  一制御周期または制御サイクルが１／２０秒以下、好ましくは１／２５秒以下で、一制御サイクル内に各光源は一度活性化され、一制御サイクル内に各画像ピクセルは各観察方向において一度、すなわち一制御サイクル内に観察方向の数と同じ回数だけ制御されること、を特徴とする請求項７から９のいずれか一項に記載の方法。
【請求項１３】  画像ピクセルは光シャッタ・ピクセルとして実現され、光源によって放出された光の強度を変調することによって、一体画像の部分を含む複合画像が光放出面に生成され、さらに、シャッタ・ピクセルおよび光源は、
ａ．光源のグループ内の各々の光源を観察方向に対応させながら、その光源のグループによって単一のシャッタ・ピクセルを一度に照明し、それと同時に、そのグループ内の１つの光源の光を単一のシャッタ・ピクセルのみに透過し、
ｂ．各画像サイクルにおいて、各シャッタ・ピクセルが観察方向毎に少なくとも一度光を透過または反射するように、シャッタ・ピクセルおよび光源を変調し、
ｃ．シャッタ・ピクセルに周期的に光を透過することにより、異なる方向に投射された一体画像を得る、
ように制御されること、を特徴とする請求項１から６のいずれか一項に記載の方法。
【請求項１４】  特に請求項１の方法を実行するための、三次元画像を表現する装置であって、
ａ．角度独立または時定数角度依存放射特性を有する周期的に制御可能な光源が設けられた光放出面と、
ｂ．光の透過または反射の制御が可能な画像ピクセルを含み、光放出面の前に配置されたスクリーンと、
を備え、
ｃ．光源の光は、実質的に方向を変えることなく光源と画像ピクセルの間を伝搬し、画像ピクセルを通過するか、または画像ピクセルから反射され、各光源はいくつかの画像ピクセルを照明し、各制御サイクルにおいて１つの画像ピクセルは所定の数の異なった光源のうちの各光源によって少なくとも１度照明される、前記の装置であって、
ｄ．光源の中心間の距離は、画像ピクセルの中心間の距離より大きく、
ｅ．光源と画像ピクセルの間の距離は、１つの光源によって、単一の画像ピクセルを照明する所定の数の光源より多くの画像ピクセルが照明されるように選択されること、
を特徴とする装置。
【請求項１５】  光放出面上の光源は、１つの光源によって照明されるピクセルの数と、単一のピクセルを照明する光源の数との比が、光源間の距離と画像ピクセル間の距離との比にほぼ等しくなるように、画像ピクセルから離れて配置されること、を特徴とする請求項１４に記載の装置。
【請求項１６】  制御可能な画像ピクセルを含むスクリーンは、垂直方向と水平方向で個々の画像ピクセルから放出される光線の異なる拡散（発散）を与えるためのディフューザをさらに備えたこと、を特徴とする請求項１４または１５に記載の装置。
【請求項１７】  スクリーンは、ホログラフィック層またはレンズ状レンズ・マトリックスを含むこと、を特徴とする請求項１６に記載の装置。
【請求項１８】  光源が、ＬＥＤ、特にＬＥＤアレイのＬＥＤ、ＬＥＤディスプレイまたはＯＬＥＤディスプレイとして実現されること、を特徴とする請求項１４から１７のいずれか一項に記載の装置。
【請求項１９】  制御可能な画像ピクセルを含むスクリーンは、ＬＣＤディスプレイまたは他のＬＣＤパネルから構成されること、を特徴とする請求項１４から１８のいずれか一項に記載の装置。
【請求項２０】  光源は、所定の垂直方向および水平方向のサイズを有する光源として形成され、該サイズは、個々の画像ピクセルから放出される光線を垂直方向および水平方向に拡散させる手段を与えるために決定されること、を特徴とする請求項１４から１９のいずれか一項に記載の装置。
【請求項２１】  光源は、垂直方向と水平方向で個々の画像ピクセルから放出される光線の異なる拡散を与えるために、互いに隣接して位置する垂直光源ストリップとして形成されること、を特徴とする請求項１４から２０のいずれか一項に記載の装置。
【請求項２２】  光源は実質的に点源であること、を特徴とする請求項１４から１９のいずれか一項に記載の装置。
【請求項２３】  光源は、隔離板によって隔離され、拡散面の背後に配置される離散型光源であること、を特徴とする請求項１４から１９のいずれか一項に記載の装置。
【請求項２４】  拡散面はすりガラスから構成されること、を特徴とする請求項２３に記載の装置。
【請求項２５】  光源と該光源を隔離する隔離板とは、光源から放出される光コーンの重複のためのスペースを確保するために、すりガラスの背後からある距離にあること、を特徴とする請求項２４に記載の装置。
【請求項２６】  拡散面の背後に、それぞれ等しい距離を隔てて縦に配列された複数の光源を備えたこと、を特徴とする請求項１５から１８のいずれか一項に記載の装置。
【請求項２７】  それぞれ縦に配置された光源は、カラー画像の表現に適した基本色の照射のための光源で、基本色は規則的に繰り返されること、を特徴とする請求項１４から２６のいずれか一項に記載の装置。
【請求項２８】  スクリーンの画像ピクセルは、周期的にアドレス可能な光シャッタ・ピクセルで、各光源はいくつかのシャッタ・ピクセルを照明し、１つのシャッタ・ピクセルは、一サイクル内にいくつかの光源によって照明されること、を特徴とする請求項１４から１９のいずれか一項に記載の装置。
【請求項２９】  光源は、水平方向に配列した複数のシャッタ・ピクセルを照明するための照射特性を有することを特徴とする請求項２８に記載の装置。